(57)【要約】【課題】着脱部材の着脱が容易で、低コストで構成でき、しかも消費電力の増加を招くことのない携帯型機器と、暗がりでも携帯型機器への取り付け方向を容易に確認可能な脱着部材を得る。【解決手段】記録媒体ホルダー２８の側面２８Ｓに、記録媒体７２を収容するときの方向が分かるように表示部３２が設けられる。表示部３２は、縦方向の直線状の凹部３２Ｄ内に、蓄光性塗料を塗布することにより構成される。記録媒体７２の表面の一部には、凹部７４Ｄに蓄光性塗料を塗布して構成された方向表示部７４が設けられる。筐体１４の外部の光が、蓋板２６の光透過板３４を透過して表示部３２の蓄光性塗料に蓄えられるので、暗がりで蓋板２６を開放したときには表示部３２が光り、記録媒体７２の交換を容易に行うことができる。外部の光を利用するので、記録媒体挿入口３０の近傍を照明するためのランプや回路が不要となり、低コストでデジタルスチルカメラを構成できる。【選択図】　　　　図２
2004046035.tif 000002
【特許請求の範囲】
【請求項１】
携帯型機器を構成する機器本体と、
前記機器本体に備えられ、着脱部材が取り付けられる取り付け部と、
前記取り付け部の近傍に配設され機器本体の外部からの光を蓄光して発光可能な蓄光部材と、
を有することを特徴とする携帯型機器。
【請求項２】
前記取り付け部を覆うように前記機器本体に開閉可能に取り付けられ外部からの光を透過可能な開閉部材、
を有することを特徴とする請求項１に記載の携帯型機器。
【請求項３】
前記蓄光部材が蓄光性塗料とされ、
前記蓄光性塗料への異物の接触を防止する接触防止手段、
を有することを特徴とする請求項１又は請求項２に記載の携帯型機器。
【請求項４】
携帯型機器の取り付け部に脱着可能に取り付けられる脱着部材であって、
外部からの光を蓄光して発光し前記取り付け部への取り付け方向を示す蓄光部、
を有することを特徴とする脱着部材。
【発明の詳細な説明】
【０００１】
【発明の属する技術分野】
本発明は、携帯型機器及び脱着部材に関し、さらに詳しくは、電池や記録媒体等、機器本体に対して着脱部材が取り付けられる構造とされた携帯型機器及び、携帯型機器の取り付け部に脱着可能に取り付けられる脱着部材に関する。
【０００２】
【従来の技術】
従来の携帯型機器の一例として、カメラ（いわゆる銀塩カメラ）を例に挙げて説明する。
【０００３】
図３には、従来のカメラ１１２の構成が示されている（特開平７−２８６２１２号参照）。このカメラ１１２では、たとえばパトローネ室１１４に照明用ランプ１１６が設けられており、暗い場所でもフイルムの交換を容易に行うことができるようになっている。
【０００４】
しかしながら、図３のカメラ１１２では、パトローネ室１１４を照明するために、照明用ランプ１１６と、これを発光させるための回路が必要となっているため、コストアップを招くことになる。さらに、照明用ランプ１１６に電力を供給する必要があるため、電力消費量も多くなる。
【０００５】
さらに、暗がりでは、フィルム等の交換部材（脱着部材）を交換あるいは脱着するときに、カメラ１１２に対する向きを確認することも難しい。
【０００６】
【発明が解決しようとする課題】
本発明は、上記事実を考慮し、着脱部材の着脱が容易で、低コストで構成でき、しかも消費電力の増加を招くことのない携帯型機器と、暗がりでも携帯型機器への取り付け方向を容易に確認可能な脱着部材を得ることを課題とする。
【０００７】
【課題を解決するための手段】
請求項１に記載の発明では、携帯型機器を構成する機器本体と、前記機器本体に備えられ、着脱部材が取り付けられる取り付け部と、前記取り付け部の近傍に配設され機器本体の外部からの光を蓄光して発光可能な蓄光部材と、を有することを特徴とする。
【０００８】
したがって、着脱部材が取り付けられる取り付け部の近傍の蓄光部材が、外部からの光を蓄光し、これによって発光する。携帯型機器の使用者は、蓄光部材から発せられる光によって、着脱部材の着脱を容易に行うことができる。
【０００９】
しかも、機器本体の外部からの光を利用し、蓄光部材を発光させるので、取り付け部の近傍を照明するためのランプや回路等をあらたに設ける必要がなく、低コストで構成できる。ランプに電力を供給する必要もないので、消費電力が増加することもない。
【００１０】
請求項２に記載の発明では、請求項１に記載の発明において、前記取り付け部を覆うように前記機器本体に開閉可能に取り付けられ外部からの光を透過可能な開閉部材、を有することを特徴とする。
【００１１】
開閉部材を開けて、取り付け部への着脱部材の取り付けあるいは取り外しを行うことができる。開閉部材を閉じた状態では、着脱部材の不用意な脱落を防止できると共に、取り付け部への異物（埃など）の進入や付着を防止できる。
【００１２】
開閉部材は光を透過可能なので、機器本体の外部の光が開閉部材を透過し蓄光部材まで導かれる。
【００１３】
請求項３に記載の発明では、請求項１又は請求項２に記載の発明において、前記蓄光部材が蓄光性塗料とされ、前記蓄光性塗料への異物の接触を防止する接触防止手段、を有することを特徴とする。
【００１４】
このように、蓄光部材を蓄光性塗料とすることで、低コストで構成できる。
【００１５】
また、蓄光性塗料への異物の接触を防止する接触防止手段を備えているので、蓄光性塗料に使用者の手やそのほかの異物等が触れることを防止でき、蓄光性塗料の剥がれを防止できる。接触防止手段の例としては、蓄光性塗料を塗布するために機器本体に設けた凹部等を挙げることができる。
【００１６】
請求項４に記載の発明では、携帯型機器の取り付け部に脱着可能に取り付けられる脱着部材であって、外部からの光を蓄光して発光し前記取り付け部への取り付け方向を示す蓄光部、を有することを特徴とする。
【００１７】
したがって、蓄光部外部からの光を蓄光し発光する。これにより、暗がりであっても携帯型機器への取り付け方向を容易に知ることができる。
【００１８】
【発明の実施の形態】
図１には、本発明の第１実施形態の携帯型機器であるデジタルスチルカメラ１２が、背面側からの斜視図にて示されている。
【００１９】
デジタルスチルカメラ１２は、筐体１４を有している。筐体１４は、略箱状に形成されており、前面１４Ｆ側に、撮影用レンズ、撮影用発光部材（いわゆるストロボ）、及びファインダー受光部等の部材（いずれも図示省略）が設けられている。また、上面１４Ｔにはシャッタースイッチ２２が、背面１４Ｂにはファインダー１６、液晶ディスプレイ２４及び各種の操作スイッチ１８が設けられている。デジタルスチルカメラ１２の使用者は、液晶ディスプレイ２４の画像を見ながら（又はファインダー１６内の画像を見ながら）、シャッタースイッチ２２を押して、画像を撮影することができる。
【００２０】
図２（Ａ）にも示すように、筐体１４の側面１４Ｓには、蓋板２６が回動可能に取り付けられている。蓋板２６は、図示しないバネによって開放位置（図２（Ｂ）に示す位置）へと回動するように付勢されているが、閉塞位置（図２（Ａ）に示す位置）において、ロック機構によりロックされている。ロック解除ツマミ３６を下方へスライドさせてロック解除すると、バネの付勢力で、蓋板２６が回動して開放位置に至る。
【００２１】
筐体１４内に記録媒体ホルダー２８が取り付けられており、蓋板２６を開放した状態（図２（Ｂ）参照）で、記録媒体挿入口３０が露出して、記録媒体７２を収容（図２（Ｃ）参照）できるようになっている。記録媒体ホルダー２８の側面２８Ｓには、記録媒体７２を収容するときの方向が使用者に分かるように、表示部３２が設けられている。表示部３２は、記録媒体ホルダー２８の側面２８Ｓに形成された縦方向の直線状の凹部３２Ｄ内に、蓄光性塗料を塗布することにより構成されている。
【００２２】
蓋板２６の中央部分は、筐体１４の外部からの光を透過可能な光透過板３４により構成されている。したがって、蓋板２６が閉塞位置にあるときでも、筐体１４の外部の光が光透過板３４を透過して、表示部３２に達するようになっている。
【００２３】
また、ロック解除ツマミ３６にも、蓄光性塗料を塗布することにより構成されたツマミ表示部４０が設けられている。
【００２４】
なお、筐体１４の側面１４Ｓには、複数の端子４２が設けられており、外部の機器と電気的に接続可能となっている。
【００２５】
本発明の脱着部材の一例である記録媒体７２は、図２（Ｃ）からも分かるように、記録媒体挿入口３０に挿入可能な平板状に形成されており、その表面の一部に、方向表示部７４が設けられている。方向表示部７４は、記録媒体７２の表面に形成された凹部７４Ｄに、蓄光性塗料を塗布することにより構成されている。方向表示部７４は、表示部３２と一致する向きとされている。
【００２６】
このような構成とされた本実施形態のデジタルスチルカメラ１２では、通常の使用状態において、記録媒体挿入口３０から記録媒体７２が挿入され、記録媒体ホルダー２８に保持されている。また、筐体１４の外部の光が、蓋板２６の光透過板３４を透過して、表示部３２の蓄光性塗料に蓄光される。
【００２７】
デジタルスチルカメラ１２の記録媒体７２を交換する場合、デジタルスチルカメラ１２の使用者はまず、ロック解除ツマミ３６を下方へスライドさせてロック解除し、蓋板２６のロックを解除する。このとき、ツマミ表示部４０の蓄光性塗料が蓄光されているので、たとえば暗がりであってもツマミ表示部４０が光り、ロック解除ツマミ３６の位置を容易に知ることができる。蓋板２６のロックが解除されると、図示しないバネの付勢力で蓋板２６が回動し、図２（Ｂ）に示すように、開放位置に至る。
【００２８】
次に、デジタルスチルカメラ１２の使用者は、記録媒体挿入口３０から記録媒体７２を取りだし、あらなた記録媒体７２を挿入する。このとき、筐体１４の外部の光が、蓋板２６の光透過板３４を透過して表示部３２（蓄光性塗料）に蓄えられている。したがって、たとえば暗がりで蓋板２６を開放したときであっても、表示部３２が光るので、記録媒体挿入口３０の位置、及び記録媒体７２の挿入方向を使用者は知ることができ、記録媒体７２の交換を容易に行うことができる。特に、記録媒体７２にも方向表示部７４が設けられているので、この方向表示部７４と表示部３２との向きを合わせることで、記録媒体７２の挿入方向（取り付け方向）を容易に知ることができる。
【００２９】
しかも、表示部３２は、凹部３２Ｄ内に蓄光性塗料を塗布することにより構成されている。また、方向表示部７４も、凹部７４Ｄ内に蓄光性塗料を塗布することにより構成されている。したがって、使用者の手や、あるいはそのほかの異物が直接的に蓄光性塗料に触れることを防止でき、蓄光性塗料の剥がれを防止できる。
【００３０】
以上説明したように、本発明では、暗がりであっても記録媒体７２の交換を容易に行うことができる。しかも、デジタルスチルカメラ１２の筐体１４の外部の光を表示部３２に蓄光し、表示部３２を発光させるようにしているので、記録媒体挿入口３０の近傍を照明するためのランプや回路が不要となり、低コストでデジタルスチルカメラを構成できる。デジタルスチルカメラ１２の小型化、軽量化を図ることも可能になる。また、このようなランプに電力を供給する必要もないので、デジタルスチルカメラ１２の消費電力が増加することもない。
【００３１】
なお、上記説明では、本発明の携帯型機器としてデジタルスチルカメラを例に挙げたが、携帯型機器はこれに限定されない。たとえば、銀塩カメラなどの撮像装置を挙げることができる。さらには、動画を撮影可能な動画撮影装置、いわゆるヘッドフォンステレオなどの音声再生装置、携帯型ゲーム機、携帯型ラジオなどの携帯型受信機、携帯型トランシーバーなどの携帯型無線機、「ＰＤＡ」と称される個人情報機器（Ｐｅｒｓｏｎａｌ　Ｄｉｇｉｔａｌ　Ａｓｓｉｓｔａｎｔ）、携帯電話なども、本発明の携帯型機器に含まれる。また、実際の使用状況において、携帯して使用されるか、若しくは据え置いて使用されるかは特に問わず、携帯可能に構成されていればよい。
【００３２】
本発明の脱着部材である記録媒体７２の具体例としては、いわゆるメモリーカードやＣＦカード、ＳＤメモリーカード、マルチメディアカード、スマートメディアア等を挙げることができる。
【００３３】
本発明の脱着部材としては、これらの記録媒体７２に限定されず、どのような着脱部材であってもよい。たとえば、上記した携帯型機器に使用される電池も、本発明の脱着部材に含まれる。この場合には、電池が収容される電池収容室の近傍に、本発明の蓄光部材を設ければよい。また、電池にも、方向表示部７４と同様の方向表示部を設け、その向きが暗がりでも容易に分かるようにすることが好ましい。
【００３４】
本発明の接触防止手段としても、上記した凹部３２Ｄに限定されず、使用者の手やその他の異物が触れる可能性の少ない場所であってもよい。加えて、蓄光性塗料を透明フィルム等で覆うようにして、接触防止手段を構成するようにしてもよい。
【００３５】
本発明の開閉部材（蓋板２６）に対し光を透過可能とする構成も、上記した光透過板３４に限定されない。たとえば、蓋板３４に孔をあけ、この孔を光が透過して表示部３２に達するようにしてもよい。あるいは、蓋板２６を、筐体１４との間に隙間が生じるように形成し、この隙間から、光が透過して表示部３２に達するようにしてもよい。
【００３６】
本発明では、蓄光部材を携帯型機器のそれぞれに応じて異なる形状や位置等とすることで、使用者と携帯型機器とを対応させる（たとえばデジタルスチルカメラ１２等のカメラの場合には、いわゆる「マイカメラ」であることを確認する）ことが可能となる。
【００３７】
【発明の効果】
本発明は上記構成としたので、着脱部材の着脱が容易で、低コストで構成でき、しかも消費電力の増加を招くこともない。
【図面の簡単な説明】
【図１】本発明の第１実施形態のデジタルスチルカメラを示す斜視図である。
【図２】（Ａ）及び（Ｂ）は、本発明の第１実施形態のデジタルスチルカメラを示す側面図であり、（Ａ）は蓋板が閉じた状態、（Ｂ）は蓋板が開いた状態、（Ｃ）は本発明の記録媒体を示す正面図である。
【図３】従来のカメラの裏側を蓋のない状態で示す図である。
【符号の説明】
１２　　デジタルスチルカメラ（携帯型機器）
１４　　筐体（機器本体）
３０　　記録媒体挿入口（取り付け部）
３２　　表示部（蓄光部材）
３２Ｄ　凹部（接触防止手段）
３４　　蓋板（開閉部材）
７２　　記録媒体（脱着部材）
７４　　方向表示部
７４Ｄ　凹部（接触防止手段）
【図１】
2004046035.tif 000003
【図２】
2004046035.tif 000004
【図３】
2004046035.tif 000005